(57)【要約】【課題】イルミネーションのシミュレーション画面上で使用電力等の統計値を表示できるようにした照明制御装置を提供する。【解決手段】照明制御装置１は、配設された複数の発光体２０によるイルミネーションを表示画面上にシミュレートして制御する際に、シミュレーション画面上に実際のイルミネーションにおける発光体２０の明るさの濃淡の平均値および発光体２０の使用電力に関する事項の少なくとも何れか一方を表示できるようにした。【選択図】図１
2014165047.tif 000002
【特許請求の範囲】
【請求項１】
配設された複数の発光体の点灯および消灯によって行われるイルミネーションを表示画面上にシミュレートして制御することができる照明制御装置において、
実際にイルミネーションを実施した場合の発光体の明るさの濃淡の平均値および発光体の使用電力に関する事項の少なくとも何れか一方をイルミネーションのシミュレーション表示と同一画面上に表示可能としたことを特徴とする照明制御装置。
【請求項２】
前記イルミネーションを実施中の発光体の明るさの濃淡の平均値は、
前記発光体がフルカラー発光を可能なＲＧＢＬＥＤである場合は、一回の発光においてＲＧＢＬＥＤ毎にＲ階調の値とＧ階調の値とＢ階調の値とを相加平均して個別の平均値を算出し、全てのＲＧＢＬＥＤについて算出した個別の平均値を相加平均した値に基づいたものであり、
前記発光体が単色ＬＥＤである場合は、一回の発光において単色ＬＥＤそれぞれの明るさの値を全ての単色ＬＥＤについて相加平均したものに基づいたものであることを特徴とする請求項１に記載の照明制御装置。
【請求項３】
前記発光体の使用電力に関する事項は、発光体の使用電力と使用電力量であり、
前記発光体の使用電力は、
前記発光体がフルカラー発光を可能なＲＧＢＬＥＤである場合は、各ＲＧＢＬＥＤについて予め登録されている、ＲＧＢ値が１．０である場合における各ＲＧＢＬＥＤの使用電力と、各ＲＧＢＬＥＤのＲＧＢ値とを積算したものを各ＲＧＢＬＥＤそれぞれの個別使用電力とし、全てのＲＧＢＬＥＤの個別使用電力の総和であり、
前記発光体が単色ＬＥＤである場合は、各単色ＬＥＤについて予め登録されている、明るさの値が１．０である場合における各単色ＬＥＤの使用電力と、各単色ＬＥＤの明るさの値とを積算したものを各単色ＬＥＤそれぞれの個別使用電力とし、全ての単色ＬＥＤの個別使用電力の総和であり、
前記発光体の使用電力量は、
前記発光体がフルカラー発光を可能なＲＧＢＬＥＤおよび単色ＬＥＤの何れの場合でも、所定時間内における前記使用電力の累計値であることを特徴とする請求項１または２に記載の照明制御装置。
【請求項４】
前記発光体の明るさの濃淡の平均値および前記発光体の使用電力は、イルミネーションの変化パターンの実施に要する所要時間全体を通じた、連続するグラフで表示することを特徴とする請求項３に記載の照明制御装置。
【請求項５】
前記発光体の使用電力量は、前記発光体の明るさの濃淡の平均値および使用電力の何れが表示されているかに関わらず、数値で表示されることを特徴とする請求項３または４に記載の照明制御装置。
【請求項６】
前記イルミネーションの変化パターンの実施のシミュレーションは、前記所要時間全体に亘り、連続する変化表示が可能であることを特徴とする請求項４または５に記載の照明制御装置。
【請求項７】
前記イルミネーションの変化パターンの実施のシミュレーションは、前記所要時間内の選択した特定の時点でのイルミネーションの状態を静止表示可能であることを特徴とする請求項４，５または６に記載の照明制御装置。
【発明の詳細な説明】
【技術分野】
【０００１】
本発明は、配設された複数の発光体の点灯および消灯によって行われるイルミネーションを表示画面上にシミュレートして制御することができる照明制御装置に関する。
【背景技術】
【０００２】
イルミネーションを制御する装置の従来技術として、例えば特許文献１に示すようなものがある。
すなわち、編集装置のモニタ画面上に表示したグリッド線上に座標系を設定し、表示部に配置したＬＥＤランプを表すマークを実際のＬＥＤランプに合わせてモニタ画面上のグリッド上に配置することにより、マークの座標位置情報に基づいて発光制御データを作成できるようにしたものである。
【先行技術文献】
【特許文献】
【０００３】
【特許文献１】特許第４６７５５６１号公報
【発明の概要】
【発明が解決しようとする課題】
【０００４】
しかしながら、特許文献１に示したような従来の技術では、イルミネーションをシミュレートするプレビュー機能に使用電力等の統計値を表示する機能は皆無である。このため、イルミネーションの設定後に使用電力等がどのように変化していくかのおおよその内容を確認することができなかった。このことは、今日において広く高まっている省エネに対する要求に十分に答えられないという問題点があった。
【０００５】
本発明は、このような従来の技術が有する問題点に着目してなされたもので、イルミネーションのシミュレーション画面上で使用電力等の統計値を表示できるようにした照明制御装置を提供することを目的としている。
【課題を解決するための手段】
【０００６】
前述した目的を達成するための本発明の要旨とするところは、次の各項の発明に存する。
［１］  配設された複数の発光体（２０）の点灯および消灯によって行われるイルミネーションを表示画面上にシミュレートして制御することができる照明制御装置（１）において、
実際にイルミネーションを実施した場合の発光体（２０）の明るさの濃淡の平均値および発光体（２０）の使用電力に関する事項の少なくとも何れか一方をイルミネーションのシミュレーション表示と同一画面上に表示可能としたことを特徴とする照明制御装置（１）。
【０００７】
［２］  前記イルミネーションを実施中の発光体（２０）の明るさの濃淡の平均値は、
前記発光体（２０）がフルカラー発光を可能なＲＧＢＬＥＤである場合は、一回の発光においてＲＧＢＬＥＤ毎にＲ階調の値とＧ階調の値とＢ階調の値とを相加平均して個別の平均値を算出し、全てのＲＧＢＬＥＤについて算出した個別の平均値を相加平均した値に基づいたものであり、
前記発光体（２０）が単色ＬＥＤである場合は、一回の発光において単色ＬＥＤそれぞれの明るさの値を全ての単色ＬＥＤについて相加平均したものに基づいたものであることを特徴とする［１］に記載の照明制御装置（１）。
【０００８】
［３］  前記発光体（２０）の使用電力に関する事項は、発光体（２０）の使用電力と使用電力量であり、
前記発光体（２０）の使用電力は、
前記発光体（２０）がフルカラー発光を可能なＲＧＢＬＥＤである場合は、各ＲＧＢＬＥＤについて予め登録されている、ＲＧＢ値が１．０である場合における各ＲＧＢＬＥＤの使用電力と、各ＲＧＢＬＥＤのＲＧＢ値とを積算したものを各ＲＧＢＬＥＤそれぞれの個別使用電力とし、全てのＲＧＢＬＥＤの個別使用電力の総和であり、
前記発光体（２０）が単色ＬＥＤである場合は、各単色ＬＥＤについて予め登録されている、明るさの値が１．０である場合における各単色ＬＥＤの使用電力と、各単色ＬＥＤの明るさの値とを積算したものを各単色ＬＥＤそれぞれの個別使用電力とし、全ての単色ＬＥＤの個別使用電力の総和であり、
前記発光体（２０）の使用電力量は、
前記発光体（２０）がフルカラー発光を可能なＲＧＢＬＥＤおよび単色ＬＥＤの何れの場合でも、所定時間内における前記使用電力の累計値であることを特徴とする［１］または［２］に記載の照明制御装置（１）。
【０００９】
［４］  前記発光体（２０）の明るさの濃淡の平均値および前記発光体（２０）の使用電力は、イルミネーションの変化パターンの実施に要する所要時間全体を通じた、連続するグラフで表示することを特徴とする［３］に記載の照明制御装置（１）。
【００１０】
［５］  前記発光体（２０）の使用電力量は、前記発光体（２０）の明るさの濃淡の平均値および使用電力の何れが表示されているかに関わらず、数値で表示されることを特徴とする［３］または［４］に記載の照明制御装置（１）。
【００１１】
［６］  前記イルミネーションの変化パターンの実施のシミュレーションは、前記所要時間全体に亘り、連続する変化表示が可能であることを特徴とする［４］または［５］に記載の照明制御装置（１）。
【００１２】
［７］  前記イルミネーションの変化パターンの実施のシミュレーションは、前記所要時間内の選択した特定の時点でのイルミネーションの状態を静止表示可能であることを特徴とする［４］，［５］または［６］に記載の照明制御装置（１）。
【００１３】
前記本発明は次のように作用する。
［１］から［３］の照明制御装置（１）は、イルミネーションを表示画面上でシミュレートしながら、実際のイルミネーションの実施における発光体（２０）の明るさの濃淡の平均値および発光体（２０）の使用電力に関する事項の少なくとも何れか一方を表示することができる。
【００１４】
これにより、表示された発光体（２０）の明るさの濃淡の平均値からは実際のイルミネーションにおける見た目の印象をより良く把握することができる。また、表示された使用電力に関する事項からは、実際にイルミネーションを実施したときにどのように電力が使用されるのかを把握することができる。これにより、使用電力量が所定の値を超えないように省エネを図りながら見栄えのするイルミネーションの制御をすることができる。
【００１５】
［４］の照明制御装置（１）では、発光体（２０）の明るさの濃淡の平均値および発光体（２０）の使用電力は、イルミネーションの変化パターンの実施に要する所要時間全体を通じた、連続するグラフで表示されるので、イルミネーションの所要時間全体に亘って電力がどのように使用されるかを感覚的に把握することができる。
【００１６】
［５］の照明制御装置（１）では、発光体（２０）の使用電力量が発光体（２０）の明るさの濃淡の平均値および使用電力の何れが表示されているかに関わらず、数値で表示されるので、その数値を見ながら使用電力量を考慮したイルミネーション制御を正確に行うことができる。
【００１７】
［６］の照明制御装置（１）では、イルミネーションの変化パターンの実施のシミュレーションを所要時間全体に亘って連続して変化するように表示することができる。したがって、イルミネーションのシミュレーションを見ながら、イルミネーションを実施している最中の発光体（２０）の明るさの濃淡の平均値の変化をリアルタイム的に把握できる。また、同様にイルミネーションを実施している最中の発光体（２０）の使用電力の変化をリアルタイム的に把握することもできる。
【００１８】
［７］の照明制御装置（１）では、イルミネーションの変化パターンの実施のシミュレーションにおいて、所要時間内の選択した特定の時点でのイルミネーションの状態を静止表示することができる。したがって、特定の時点での発光体（２０）の明るさの濃淡の平均値や発光体（２０）の使用電力を確認することができる。
【発明の効果】
【００１９】
本発明にかかる照明制御装置によれば、イルミネーションをシミュレートしながら発光体の明るさの濃淡の平均値や使用電力の変化を把握したり、確認したりできるので、省エネ等を勘案した上で見栄えのよいイルミネーションとなるように制御することができる。
【００２０】
また、特に発光体の明るさの濃淡の平均値や使用電力等の統計値をグラフ表示した場合には、瞬時に感覚的にそれらの変化を把握したり、確認したりすることができる。
【図面の簡単な説明】
【００２１】
【図１】本発明の一実施の形態に係る照明制御装置によって表示されるシミュレーション画面の一つを示す画面図である。
【図２】本発明の一実施の形態に係る照明制御装置と発光体との概略構成を示す模式図である。
【図３】図１に示したシミュレーション画面とは異なるシミュレーション画面を示す画面図である。
【図４】本発明の一実施の形態に係る照明制御装置におけるイルミネーションの制御状態を示す画面図である。
【図５】図４とは異なる制御状態を示す画面図である。
【図６】図４および図５の何れとも異なる制御状態を示す画面図である。
【図７】イルミネーションの実施スケジュールを示す画面の一例を示す画面図である。
【図８】図７とは表示される時間帯の幅が異なっている画面図である。
【図９】図６および図７の何れとも表示される時間帯の幅が異なっている画面図である。
【図１０】イルミネーションを実施する際のパターンを設定登録するときに表示される画面の一例を示す画面図である。
【図１１】図１０に続く画面の一例を示す画面図である。
【図１２】図１１に続く画面の一例を示す画面図である。
【図１３】図１２に続く画面の一例を示す画面図である。
【図１４】図１３に続く画面の一例を示す画面図である。
【図１５】スケジュールの一括変更をするときに表示されるスケジュール一括変更画面の一例を示す画面図である。
【図１６】スケジュールの変更をするときに表示されるスケジュール変更画面の他の例を示す画面図である。
【発明を実施するための形態】
【００２２】
以下、図面に基づき本発明の好適な一実施の形態を説明する。
各図は本発明の一実施の形態を示している。
図１は、本発明の一実施の形態に係る照明制御装置によって表示されるシミュレーション画面の一つを示す画面図である。図２は、本発明の一実施の形態に係る照明制御装置と発光体との概略構成を示す模式図である。図３は、図１に示したシミュレーション画面とは異なるシミュレーション画面を示す画面図である。
【００２３】
図２に示した、本実施の形態に係る照明制御装置１は、例えば観覧車に配設された複数の発光体を点灯および消灯することによって行われるイルミネーションを制御するものであり、実際のイルミネーションのシミュレーションをコンピュータ１０に接続したディスプレイの表示画面上で行うことができるものである。図２に例示した発光体２０それぞれは、照明制御装置１のコンピュータ１０にハブ基板１１を介して接続されている。
【００２４】
照明制御装置１のコンピュータ１０には、複数のフルカラーＬＥＤ端末を発光および消灯させるイルミネーションパターンを実行するソフトウエアが格納されている。イルミネーションパターンは、複数のパターンを登録しておくことができる。また、イルミネーションパターンは、発色を変えるなどのカスタマイズをして登録しておくことができる。コンピュータ１０の諸操作は、キーボードやマウスによって行われる。
【００２５】
照明制御装置１では、一日のうちどの時間帯にどのパターンでイルミネーションを実施するかを設定することができる。この設定は、週単位や月単位で登録しておくことができる。
【００２６】
発光体２０は、ＲＧＢ２５６階調で約１６７７万色の発色が可能なフルカラーＬＥＤ端末（ＲＧＢＬＥＤ）である。各フルカラーＬＥＤ端末２０は、樹脂の筐体２１内にＲＧＢＬＥＤ素子２２がマイコン基板２３に接続されており、充填されたシリコンによってポッティングされている。さらに筐体２１の上にはＲＧＢＬＥＤ素子２２からの光を拡散させるための拡散カバー２４が設けられている。このフルカラーＬＥＤ端末２０を任意の明るさで点灯するために、コンピュータ１０からはシリアル通信データが送信されて来る。
【００２７】
図１は、照明制御装置１のディスプレイに表示されるシミュレーション画面の一つである。この画面には、選択したイルミネーションパターンでフルカラーＬＥＤ端末２０によるイルミネーションを実施したときのシミュレーションを表示するシミュレーション表示領域１１０が画成されている。このシミュレーション領域１１０の下方には、選択したイルミネーションパターンを実際に観覧車で実施する、設定された実施時間帯を示す時間表示領域１２０がスクロールバーで表示されている。
【００２８】
この時間表示領域１２０は、シミュレーション領域１１０に表示されているものが実施時間帯のどの時刻かを示すイルミネーション時刻バー１２１が表示される。このイルミネーション時刻バー１２１は、スクロールやドラッグアンドドロップによって実施時間帯内を先へ進めたり、後戻りさせたりすることができる。イルミネーション時刻バー１２１をスクロール等させて止めたときは、その時刻に実施されているイルミネーションがシミュレーション領域１１０に表示される。
【００２９】
シミュレーションは、上記のようにイルミネーションのパターン実施にかかる所要時間全体に亘り表示することができる。シミュレーションによる表示は、実際のイルミネーションと同様に連続的に変化する変化表示や特定の時点でのイルミネーションの状態を静止させて表示する静止表示が可能である。また、変化表示の場合は、イルミネーションが変化する速度を実際の変化よりも速くしたり遅くしたりできるようにしても良い。
【００３０】
画面の下端付近にはグラフ表示領域１３０が有り、該グラフ表示領域１３０では、シミュレートしているイルミネーションにおけるフルカラーＬＥＤ端末２０の明るさの濃淡平均値および使用電力を選択的にグラフ表示することができる。図１では、フルカラーＬＥＤ端末２０の明るさの濃淡平均値がグラフ表示されている。このグラフは、縦軸が濃淡平均値であり、横軸が時間である。
【００３１】
グラフ表示領域１３０と時間表示領域１２０との間で画面の左寄りには、グラフ表示領域１３０に表示するグラフを濃淡平均値および使用電力から択一的に選択するための表示選択部１４０が配置されている。図示した例ではフルカラーＬＥＤ端末２０の明るさの濃淡平均値が選択されているので、「濃淡平均値」が選択されていることを示す太字で表示されている。また、グラフ表示領域１３０と時間表示領域１２０との間で画面の右寄りには、使用電力量がキロワット時（単位）の数値で表示される使用電力量表示部１５０が配置されている。
【００３２】
グラフ表示領域１３０に表示されているフルカラーＬＥＤ端末２０の明るさの濃淡平均値のグラフは、イルミネーションの変化パターンの実施に要する所要時間全体を通じた、連続するグラフ表示とすることができるが、例示した画面は、１０分間ずつの表示としたものである。１０分間分ずつの表示であるのは、コンピュータに接続されているディスプレイの横方向の画素数が一般的には６００〜１０８０画素程度であるので、１画面では６００秒分すなわち１０分間分を表示することとしたためである。したがって、グラフは、横方向の１画素が１秒間分のデータ表示となっている。
【００３３】
図１において、丸囲みして拡大表示したように１つの矢印それぞれが一秒間毎のデータを示している。グラフ表示領域１３０は統計結果に沿って連続的に変化する山なりの部分が有るような表示となる。
【００３４】
図３には、同様のシミュレーション画面が示されているが、ここでは使用電力のグラフが表示されている。このグラフでは、縦軸は使用電力であり、横軸は時間である。この使用電力のグラフも１０分間分ずつ表示されている。また、横１画素が１秒間分のデータ表示である。
【００３５】
図３に示した画面の使用電力量表示部１５０に使用電力量が表示されていることは、図１に示した画面で濃淡平均値のグラフが表示されているのと同様である。したがって、使用電力量は、フルカラーＬＥＤ端末２０の明るさの濃淡平均値および使用電力の何れが表示されているかに関わらず、使用電力量表示部１５０に数値で表示される。
【００３６】
ここでイルミネーションが１秒間にｆ回のフレームレートであるとすると、「濃淡平均値」および「使用電力」それぞれの１秒間毎のグラフ表示値は、次の式となる。
【数１】
2014165047.tif 000003
ｆはイルミネーションのフレームレート、Ｓ１，Ｓ２・・・，Ｓｔ，・・・，Ｓｆは、それぞれ１／ｆ秒目の点灯データ、２／ｆ秒目の点灯データ、・・・、ｔ／ｆ秒目の点灯データ、・・・１秒目の点灯データである。この１／ｆ秒毎の点灯データは、コンピュータ１０に予め登録されている。
【００３７】
次に、イルミネーションを実施中の発光体の明るさの「濃淡平均値」について説明する。
「濃淡平均値」は、一回の発光においてフルカラーＬＥＤ端末２０毎にＲ階調の値とＧ階調の値とＢ階調の値とを相加平均してフルカラーＬＥＤ端末２０毎の個別の平均値を算出し、全てのフルカラーＬＥＤ端末２０の個別の平均値を相加平均した値である。これをフルカラーＬＥＤ端末２０へのＲＧＢ点灯命令の値と、接続するフルカラーＬＥＤ端末２０の個数で定義すると次の式のようになる。
【００３８】
【数２】
2014165047.tif 000004
ここで、ａmeanは濃淡平均値であり、ｎは接続するフルカラーＬＥＤ端末２０の個数である。また、ｒ１、ｇ１、ｂ１等はＲＧＢ値であり、ｒ１，ｒ２，ｒ３，・・・・・ｒｎそれぞれは、複数のフルカラーＬＥＤ端末２０のうち１台目のＲ階調の値、２台目のＲ階調の値、３台目のＲ階調の値、・・・・・ｎ台目のＲ階調の値である。同様にｇ１，ｇ２，ｇ３，・・・・・ｇｎそれぞれは、複数のフルカラーＬＥＤ端末２０のうち１台目のＧ階調の値、２台目のＧ階調の値、３台目のＧ階調の値、・・・・・ｎ台目のＧ階調の値であり、ｂ１，ｂ２，ｂ３，・・・・・ｂｎそれぞれは、複数のフルカラーＬＥＤ端末２０の１台目のＢ階調の値、２台目のＢ階調の値、３台目のＢ階調の値、・・・・・ｎ台目のＢ階調の値である。
【００３９】
以上の説明はフルカラーＬＥＤ端末２０についてのものであるが、発光体が単色ＬＥＤ端末である場合の「濃淡平均値」は、一回の発光において単色ＬＥＤ端末それぞれの明るさの値を全ての単色ＬＥＤ端末について相加平均したものである。この濃淡平均値は、次の式によって定義される。
【００４０】
【数３】
2014165047.tif 000005
ここで、ａmeanは濃淡平均値であり、ｎは接続する単色ＬＥＤ端末の個数である。また、ｌ１，ｌ２，・・・・・ｌｎは、それぞれ複数の単色ＬＥＤ端末の１台目の明るさの値、２台目の明るさの値、・・・・・ｎ台目の明るさの値である。明るさの値は、単色ＬＥＤ端末を１００％の明るさで点灯して使用する場合を１．０とし、５０％の明るさで点灯して使用する場合を０．５とする。
【００４１】
次に、イルミネーションを実施中の発光体の「使用電力」について説明する。
「使用電力」は、各フルカラーＬＥＤ端末２０のＲＧＢ値にＲＧＢ値が１．０のときの各フルカラーＬＥＤ端末２０の使用電力を積算したものを各フルカラーＬＥＤ端末２０それぞれの個別使用電力とし、全てのフルカラーＬＥＤ端末２０の個別使用電力を総和したものである。ＲＧＢ値が１．０のときの各フルカラーＬＥＤ端末２０の使用電力は、各フルカラーＬＥＤ端末２０についてコンピュータ１０に予め登録されている。
【００４２】
この「使用電力」を式で表すと、次の２式のようになる。
【数４】
2014165047.tif 000006
ここで、Ｐｎは、複数のフルカラーＬＥＤ端末２０のｎ台目の使用電力であり、Ｃｎは、複数のフルカラーＬＥＤ端末２０のｎ台目のＲＧＢ値であり、Ｗｎ（ｌ＝１．０）は、複数のフルカラーＬＥＤ端末２０のｎ台目におけるＲＧＢ値が１．０の場合にｎ台目のフルカラーＬＥＤ端末２０の使用電力である。このＷｎ（ｌ＝１．０）は、予めコンピュータ１０に登録されているデータである。
【００４３】
【数５】
2014165047.tif 000007
ここで、Ｐｔ１は１秒間の使用電力である。ｐ１、・・・、ｐｎそれぞれは、１台目における１秒間の個別使用電力、・・・、ｎ台目における１秒間の個別使用電力である。
【００４４】
次に、使用電力量は、所定時間内における前記１秒間の使用電力Ｐｔ１の累計値であり、次の式のように表せる。
【数６】
2014165047.tif 000008
ここで、Ｐallは、使用電力量であり、Ｐ１、・・・、ＰＴそれぞれは、点灯開始して初めの１秒間の使用電力の値、・・・、点灯開始してＴ秒間目の使用電力の値である。
【００４５】
以上の説明はフルカラーＬＥＤ端末２０についてのものであるが、発光体が単色ＬＥＤ端末である場合の「使用電力」は、各単色ＬＥＤ端末の明るさの値に明るさの値が１．０のときの各単色ＬＥＤ端末の使用電力を積算したものを各単色ＬＥＤ端末それぞれの個別使用電力として、全ての単色ＬＥＤ端末の個別使用電力を総和したものである。明るさの値が１．０のときの各単色ＬＥＤ端末の使用電力は、各単色ＬＥＤ端末についてコンピュータ１０に予め登録されている。
【００４６】
この「使用電力」を式で表すと、次の２式のようになる。
【数７】
2014165047.tif 000009
ここで、Ｐｎは、複数の単色ＬＥＤ端末のｎ台目の使用電力であり、ｌｎは、複数の単色ＬＥＤ端末のｎ台目の明るさの値であり、Ｗｎ（ｌ＝１．０）は、複数の単色ＬＥＤ端末のｎ台目における明るさの値が１．０の場合にｎ台目の単色ＬＥＤ端末にかかる使用電力である。Ｗｎ（ｌ＝１．０）は、予めコンピュータ１０に登録されているデータである。
【００４７】
【数８】
2014165047.tif 000010
ここで、Ｐは使用電力である。ｐ１、・・・、ｐｎそれぞれは、１台目における個別使用電力、・・・、ｎ台目における個別使用電力である。
【００４８】
単色ＬＥＤ端末の場合の使用電力量は、フルカラーＬＥＤ端末２０の場合の使用電力量と同様に定義される。
【００４９】
次に本実施の形態に係る照明制御装置１の作用を説明する。
照明制御装置１は、コンピュータ１０による照明制御の画面として図４に示すような画面を表示することができる。図４は、ステータスタブが選択されているときに表示される画面の一例であり、イルミネーションの制御状態を示す制御状態表示画面である。この画面では、現在の日時が表示されている。
【００５０】
また、選択されているイルミネーションのパターンとそのパターンによるイルミネーションを開始する点灯時刻およびイルミネーションを終了する消灯時刻が表示されている。この画面によれば、パターン１によるイルミネーションを１８：００〜２１：００まで実施するように設定されていることが分かる。
【００５１】
また、制御の切替スイッチが手動を選択可能になっており、制御スイッチは点灯および消灯のいずれも選択不能になっている。さらに、ステータスが「待機中」となっている。したがって、現在時刻においてイルミネーションが行われていないが点灯時刻になると自動的にイルミネーションがパターン１で開始される状態であることが表示されている。
【００５２】
図５は、図４とは異なる制御状態を表示している画面であり、切替スイッチは自動を選択可能になっており、制御スイッチは点灯を選択可能になっている。また、ステータスが「待機中」となっている。したがって、この画面は、現在時刻においてイルミネーションが行われていないがフルカラーＬＥＤ端末２０を点灯させることは可能で有る。
【００５３】
図６は、図４および図５の何れとも異なる制御状態を表示している画面であり、切替スイッチは自動を選択可能になっており、制御スイッチは消灯を選択可能になっている。また、ステータスが「点灯中」となっている。したがって、設定した点灯時刻にはなっていないが、手動操作によってイルミネーションをパターン１で実施させていることが表示されている。また、制御スイッチで消灯を選択することによってイルミネーションの実施を中止させることができることが分かる。
【００５４】
図７は、イルミネーションの実施スケジュールを表示するカレンダー画面の一例を示したものである。このカレンダー画面は、カレンダータブを選択すると表示される。表示された画面には、年月がスクロール可能に表示されているので、過去へ遡ってスクロールすることによって実際に行われてきたイルミネーションの実施を把握することができる。また、未来へスクロールすることにより、これからのイルミネーションの実施の確認をすることができる。
【００５５】
例示されている画面では、日にちが１１月の１日〜３０日まで表示されており、時間帯は１６：００〜０：００過ぎまでの約８時間が表示されている。この約８時間分の時間帯は、スクロールによってずらして表示することもできる。この画面より、１１月１日〜３０日まで、イルミネーションが毎日実施されるように設定されていることが示されている。
【００５６】
また、パターン１と表示された時刻バーが１８：００〜２１：００に亘って延びており、実際のイルミネーションの実施は、この３時間であることが示されている。なお、イルミネーションを実施する時間帯は、時刻バーの先端をドラッグアンドドロップするとバーを伸縮させることができるので、この方法でパターン１によるフルカラーＬＥＤ端末２０の点灯開始時刻および消灯時刻を変更することができる。
【００５７】
図８は、図７と同様のカレンダー画面図であるが、表示されている時間帯は、１６：００〜２：００過ぎまでの１０時間以上の幅に広げられている。また、図９は、図７や図８と同様のカレンダー画面図であるが、表示されている時間帯は、図８よりもさらに広く１６：００〜６：００過ぎまでの１４時間以上に亘っている。これらの表示されている時間帯が異なるカレンダー画面の何れを表示させるかは、操作者が任意に選択できる。
【００５８】
このように、図７から図９までに示したカレンダー画面では、１ヶ月分のスケジュールを全て表示できるので、１ヶ月分のスケジュール全ての入力や確認を一画面上で確認しながら入力することができ、操作性が向上している。また、表示する時間帯の幅を変更することができるので、操作者は、見やすい画面を選択することによって容易に且つ確実に入力等の操作をすることができる。
【００５９】
さらに、カレンダー表示画面では、白地の画面に日曜日および祝日それぞれを示す表示部分を明るい朱色として表示してある。さらに、日にちを示す例えば「２日」等の文字も明るい朱色に表示してもよい。このように白と明るい朱色との組合せによれば、いわゆる色弱のある操作者であっても、明るい朱色で示された日曜日および祝日とそれ以外の白色で示されている日とを明確に判別することができる。
【００６０】
図１０から図１４までは、イルミネーションを実施する際のパターンを設定登録するときに表示される画面である。これらの画面はパターン登録タブを選択すると表示される。図１０は、コンピュータ１０に予め登録されているパターンがパターン１とパターン２であるときに表示される画面である。
【００６１】
パターン１を選択して設定登録するときは、この画面上で「パターン１登録（001-016.dat）」をクリックする。すると、図１１に示したように、図１０の画面に重ねて「ファイルを開く」のウインドウが表示される。このウインドウにはパターン１が１６に分割されたデータから成ることが表示されている。
【００６２】
図１１で全てのデータ（00001〜00016.dat）を選択すると図１２に示した画面が表示される。この画面上で「ＯＫ」をクリックすると図１３に示した画面が表示され、当該画面上に表示される「ＯＫ」をクリックすると図１４に示した画面が表示されて設定登録が完了する。なお、１６に分割されたデータは、適宜に間引きすることによってパターン１に変更を加えることができる。
【００６３】
図１５は、上記のようにしてイルミネーションのパターンを設定登録するなどして立てたスケジュールを変更するときに表示されるスケジュール一括変更画面である。この画面は、図７に示したような、カレンダー画面上でメニューバーの「編集」をクリックしてその子ウインドウの「スケジュール一括変更」を選択すればよい。これにより、カレンダー画面からでなくてもスケジュールやパターン等の一括変更をすることができる。
【００６４】
表示されたスケジュール変更画面によってイルミネーションの実施スケジュールを変更できる事項は、例えば、イルミネーションを実施する年・月・日とこれらによって設定される期間、イルミネーションの開始時刻と終了時刻、イルミネーションのパターン、一日に実施するイルミネーションの実施回数等である。
【００６５】
この画面上で、イルミネーションの開始時刻と終了時刻、イルミネーションのパターン、一日に実施するイルミネーションの実施回数等を設定し、年・月・日によって期間を設定することによって、イルミネーションの開始時刻と終了時刻、イルミネーションのパターン、一日に実施するイルミネーションの実施回数等を一括変更することができる。また、画面上に薄く表示されているように、各曜日および祝日のチェックボックスが有り、このチェックボックスにチェックを入れて指定することによって、チェックを入れた曜日等に関して一括変更することもできる。
【００６６】
また、図１６に示したように実施する日が曜日で設定されている場合には、イルミネーションを実施する日あるいは実施しない日の曜日の変更等をすることができる。なお、図７から図９までに例示した画面では、イルミネーションが全ての日においてパターン１で実施されるように示されているが、パターン２を実施する日や指定曜日を入れることができる。また、図１０では、パターン１およびパターン２から選択できるように表示されているが、３パターン以上を登録しておき、その中から適宜に選択できるようにしてもよい。
【００６７】
イルミネーションをシミュレートする場合は、図１または図３に示した画面を表示させて行う。シミュレーション領域１１０には、上記のようにして設定登録したパターンによるイルミネーションがシミュレートされる。
【００６８】
イルミネーションをシミュレートするときは、図１または図３で指名したシミュレーション画面が表示される。何れのシミュレーション画面を表示させるかは、操作者が任意に選択することができる。シミュレーションと同時に実際のイルミネーションのフルカラーＬＥＤ端末２０の明るさの濃淡の平均値を確認したいときは図１に示したイルミネーション画面を選択する。この画面により、イルミネーションの変化パターンを解析したり、実際のイルミネーションにおける見た目の印象をより良く把握したりすることが容易になる。
【００６９】
また、フルカラーＬＥＤ端末２０の明るさの濃淡の平均値が１０分間に亘る連続したグラフで表示されているので、明るさに注目しての解析をより正確に行うことができる。また、使用電力量が数値で表示されているので、使用電力量を確認することもできる。これら明るさの濃淡の平均値や使用電力量をイルミネーションの設定を変更等する際の参考にすることができる。例えば、使用電力量を所定の値を超えないように省エネを図りながら見栄えのするイルミネーションの制御を設定することができる。
【００７０】
シミュレーションは、実際に行われるイルミネーションの所要時間全体に亘って表示できるが、イルミネーションは所定のパターンが繰り返されるので、１回分のパターンを開始から終わりまで解析すればイルミネーションを所要時間全体に亘って把握することができる。
【００７１】
図１においてグラフ表示領域１３０にグラフ表示されているフルカラーＬＥＤ端末２０の明るさの濃淡の平均値に代えて使用電力をグラフ表示したいときは、図１のイルミネーション画面の表示選択部１４０から「使用電力量」を選択すればよい。このようにして表示された図３によれば、使用電力を注目しての解析をより正確に行うことができる。また、この画面でも使用電力量が表示されているので、使用電力や使用電力量をイルミネーションの設定を変更等する際の参考にすることができる。
【００７２】
なお、図１および図３の何れのシミュレーション画面においても、イルミネーションの変化パターンの実施をシミュレートしている最中に、シミュレーションを一時停止させて、その特定の時点でのイルミネーションの状態を静止表示することができる。したがって、特定の時点での発光体２０の明るさの濃淡の平均値やフルカラーＬＥＤ端末２０の使用電力を正確に確認することができる。
【００７３】
このようなシミュレーション画面によれば、点灯パターンの確認が容易である。これにより、例えば試験工程において、時間別の点灯内容が例えば０分から３分の間は同じパターンであることがシミュレーション画面で分かった場合は、目視による確認の実行を０分から３分の間の一部で省略するための判断材料にできるので、試験工程の効率化を図ることができる。
【００７４】
また、フルカラーＬＥＤ端末２０の明るさの濃淡の平均値や使用電力等の統計値がスクロールバーであるイルミネーション時刻バー１２１に並行にグラフ表示されるので、例えば上記の試験工程における０分から３分の間のＲＧＢ濃淡の平均値が同じか否かを一目で把握することができ、これによっても試験工程の効率化を図ることができる。
【００７５】
以上、本発明の実施の形態を図面によって説明してきたが、具体的な構成は前述した実施の形態に限られるものではなく、本発明の要旨を逸脱しない範囲における変更や追加があっても本発明に含まれる。
【００７６】
例えば、図１および図３に例示して説明したものは、観覧車のフレームに沿って放射状に配設された発光体２０によるイルミネーションのシミュレーションであるが、イルミネーションは、発光体２０が放射状に配設されたものに限らず、発光体を並列に配設したものや、同心状に円や多角形に配列したもの、その他どのように配列したものであってもよい。
【産業上の利用可能性】
【００７７】
本発明は、複数の発光体を配設して点灯および消灯によって行われるイルミネーションをコンピュータの表示画面上にシミュレートして制御することができる照明制御装置に関するものであり、イルミネーションは観覧車に施されるものとして説明したが、観覧車に限られず、ビルディングやタワー等の建造物に施されるイルミネーションのシミュレーションに広く利用することができる。
【符号の説明】
【００７８】
１…照明制御装置
１０…コンピュータ
１１…ハブ基板
２０…フルカラーＬＥＤ端末
２１…筐体
２２…ＲＧＢＬＥＤ素子
２３…マイコン基板
２４…拡散カバー
１１０…シミュレーション領域
１２０…時間表示領域
１２１…イルミネーション時刻バー
１３０…グラフ表示領域
１４０…表示選択部
１５０…使用電力量表示部
【図１】
2014165047.tif 000011
【図２】
2014165047.tif 000012
【図３】
2014165047.tif 000013
【図４】
2014165047.tif 000014
【図５】
2014165047.tif 000015
【図６】
2014165047.tif 000016
【図７】
2014165047.tif 000017
【図８】
2014165047.tif 000018
【図９】
2014165047.tif 000019
【図１０】
2014165047.tif 000020
【図１１】
2014165047.tif 000021
【図１２】
2014165047.tif 000022
【図１３】
2014165047.tif 000023
【図１４】
2014165047.tif 000024
【図１５】
2014165047.tif 000025
【図１６】
2014165047.tif 000026